(57)【要約】      （修正有）【課題】座椅子の背もたれ部に背もたれ装置を取付け、該背もたれ装置を、使用者の背部と一緒に同時に同方向に動作するようにした座椅子を提供する。【解決手段】この座椅子は、シート部１０、該シート部に枢接された背もたれ部２０、及び該背もたれ部に取付けられた少なくとも一つの背もたれ装置９０を包含する。該背もたれ装置は、当接部材３０、及び該当接部材と該背もたれ部を連接する連接ユニット４０を包含する。該連接ユニットは、二つのスプリング、該二つのスプリングの第１端部にそれぞれ接続された二つの接続部材、及び、該二つのスプリングの第２端部を該背もたれ部に連接する連接部材を包含する。使用者は、背部を該当接部材に当接させ、該使用者の背部が活動して揺動する時、該二つのスプリングが同時に動作して緩衝作用を発生し、最良の座り心地を得られる。【選択図】図１
0003180651.tif 000002
【実用新案登録請求の範囲】
【請求項１】
座椅子において、
シート部と、
該シート部に枢接された背もたれ部と、
該背もたれ部に取付けられた少なくとも一つの背もたれ装置、
以上を包含することを特徴とする、座椅子。
【請求項２】
請求項１記載の座椅子において、該少なくとも一つの背もたれ装置は、当接部材と、該当接部材と該背もたれ部を連接する連接ユニットを包含し、該連接ユニットは、二つのスプリング、二つの接続部材及び一つの連接部材を具え、該二つのスプリングはそれぞれに第１端部と、該第１端部と反対方向に設置された第２端部を具え、該二つの接続部材は、固定的に該当接部材に接続され、該二つの接続部材は、並びにそれぞれに、少なくとも一つの第１係止ブロックを具え、該少なくとも一つの第１係止ブロックは該二つのスプリングの該第１端部を係止し、該連接部材は該背もたれ部に固定的に接続され、該連接部材は二つの連接部を具え、該二つの連接部はそれぞれに少なくとも一つの第２係止ブロックを具え、該少なくとも一つの第２係止ブロックは該二つのスプリングの該第２端部を係止することを特徴とする、座椅子。
【請求項３】
請求項２記載の座椅子において、該当接部材は二つの位置決めブロックを具え、該二つの位置決めブロックは該二つの接続部材と固定的に接続されることを特徴とする、座椅子。
【請求項４】
請求項３記載の座椅子において、該二つの位置決めブロックの内部に、雌ネジ部を具えたネジ付きソケットが被覆結合され、該二つの接続部材はそれぞれ穿孔を具え、二つのネジ部品が対応する該穿孔を通過し、さらに対応する該ネジ付きソケットの該雌ネジ部に螺合されて、該二つの接続部材が該二つの位置決めブロックに固定的に接続されることを特徴とする、座椅子。
【請求項５】
請求項２記載の座椅子において、該連接ユニットは支持ブロックを具え、該支持ブロックの一端は、該背もたれ部に固定的に取付けられ、該支持ブロックの他端は該連接部材に固着されることを特徴とする、座椅子。
【請求項６】
請求項５記載の座椅子において、該背もたれ部に少なくとも一つのナットが固定的に結合され、該連接部材は貫通孔を有し、該支持ブロックも貫通孔を有し、ボルトが該連接部材の貫通孔と該支持ブロックの貫通孔を通過し、並びに該背もたれ部の該ナットに螺合されることを特徴とする、座椅子。
【考案の詳細な説明】
【技術分野】
【０００１】
本考案は一種の座椅子に係り、特に、座椅子の背もたれ部に背もたれ装置を取付け、該背もたれ装置を、使用者の背部と一緒に同時に同方向に動作するようにした技術に関する。
【背景技術】
【０００２】
一般に座椅子は、シート部と、該シート部に背もたれ部が枢接され、該背もたれ部は使用者の必要に応じて背もたれ角度を調整できる。使用者が臀部を該シート部に載せ、背部を後ろ向きに該背もたれ部にもたれかけさせる時、使用者の背部は該背もたれ部の圧迫をうけるため、使用者の背部に不快感をもたらすことがある。
【考案の概要】
【考案が解決しようとする課題】
【０００３】
本考案は、使用時に、使用者の背部に対して緩衝作用を発生し、最良の座り心地を得させることができる座椅子を提供することを課題とする。
【課題を解決するための手段】
【０００４】
請求項１の考案は、座椅子において、
シート部と、
該シート部に枢接された背もたれ部と、
該背もたれ部に取付けられた少なくとも一つの背もたれ装置、
以上を包含することを特徴とする、座椅子としている。
請求項２の考案は、請求項１記載の座椅子において、該少なくとも一つの背もたれ装置は、当接部材と、該当接部材と該背もたれ部を連接する連接ユニットを包含し、該連接ユニットは、二つのスプリング、二つの接続部材及び一つの連接部材を具え、該二つのスプリングはそれぞれに第１端部と、該第１端部と反対方向に設置された第２端部を具え、該二つの接続部材は、固定的に該当接部材に接続され、該二つの接続部材は、並びにそれぞれに、少なくとも一つの第１係止ブロックを具え、該少なくとも一つの第１係止ブロックは該二つのスプリングの該第１端部を係止し、該連接部材は該背もたれ部に固定的に接続され、該連接部材は二つの連接部を具え、該二つの連接部はそれぞれに少なくとも一つの第２係止ブロックを具え、該少なくとも一つの第２係止ブロックは該二つのスプリングの該第２端部を係止することを特徴とする、座椅子としている。
請求項３の考案は、請求項２記載の座椅子において、該当接部材は二つの位置決めブロックを具え、該二つの位置決めブロックは該二つの接続部材と固定的に接続されることを特徴とする、座椅子としている。
請求項４の考案は、請求項３記載の座椅子において、該二つの位置決めブロックの内部に、雌ネジ部を具えたネジ付きソケットが被覆結合され、該二つの接続部材はそれぞれ穿孔を具え、二つのネジ部品が対応する該穿孔を通過し、さらに対応する該ネジ付きソケットの該雌ネジ部に螺合されて、該二つの接続部材が該二つの位置決めブロックに固定的に接続されることを特徴とする、座椅子としている。
請求項５の考案は、請求項２記載の座椅子において、該連接ユニットは支持ブロックを具え、該支持ブロックの一端は、該背もたれ部に固定的に取付けられ、該支持ブロックの他端は該連接部材に固着されることを特徴とする、座椅子としている。
請求項６の考案は、請求項５記載の座椅子において、該背もたれ部に少なくとも一つのナットが固定的に結合され、該連接部材は貫通孔を有し、該支持ブロックも貫通孔を有し、ボルトが該連接部材の貫通孔と該支持ブロックの貫通孔を通過し、並びに該背もたれ部の該ナットに螺合されることを特徴とする、座椅子としている。
【考案の効果】
【０００５】
本考案は、一種の座椅子を提供し、それは、
シート部と、
該シート部に枢接された背もたれ部と、
該背もたれ部に可動に取付けられた少なくとも一つの背もたれ装置、
以上を包含する。
該少なくとも一つの背もたれ装置は使用者の背部をもたれかけさせるのに供され、緩衝作用を発生し、最良の座り心地を得させる。
【図面の簡単な説明】
【０００６】
【図１】本考案の立体外観図である。
【図２】本考案の部分立体外観図であり、当接部材、連接ユニット及び背もたれ部の関係位置を示している。
【図３】本考案の部分組合せ断面図である。
【図４】本考案の揺動動作平面図であり、該当接部材が該背もたれ部に連帯して揺動する状態を示している。
【図５】本考案の使用状態平面図である。
【考案を実施するための形態】
【０００７】
図１、２、及び図３を参照されたい。本考案の座椅子Ａは、シート部１０、シート部１０に枢接された背もたれ部２０、及び該背もたれ部２０に可動に取付けられた少なくとも一つの背もたれ装置９０を包含する。
【０００８】
該少なくとも一つの背もたれ装置９０は、当接部材３０、及び該当接部材３０と該背もたれ部２０を連接する連接ユニット４０を包含する。
【０００９】
該当接部材３０は二つの位置決めブロック３１、及び複数の通気孔３２を具えている。該二つの位置決めブロック３１の内部には雌ネジ部３３を具えたネジ付きソケット３４が結合されている。
【００１０】
該連接ユニット４０は、二つのスプリング４１、二つの接続部材４２、連接部材４３、嵌合部材４４及び支持ブロック４５を包含する。
【００１１】
該二つのスプリング４１は、伸縮弾性を有して任意に湾曲し、該二つのスプリング４１はそれぞれ第１端部４１１と該第１端部４１１と反対方向に設置された第２端部４１２を具えている。
【００１２】
該二つの接続部材４２はそれぞれが穿孔４２１を具え、二つのネジ部品４２２がそれぞれ対応する接続部材４２に通され、さらに対応する該ネジ付きソケット３４の該雌ネジ部３３に螺合され、これにより二つの接続部材４２が該当接部材３０の二つの位置決めブロック３１に固定される。該二つの接続部材４２は並びにそれぞれが少なくとも一つの第１係止ブロック４２３を具え、該第１係止ブロック４２３は、該二つのスプリング４１の該第１端部４１１を係止して、該二つの接続部材４２を該二つのスプリング４１の該第１端部４１１に接続する。
【００１３】
該連接部材４３は二つの連接部４３１と一つの貫通孔４３２を具え、該二つの連接部４３１は、それぞれが、少なくとも一つの第２係止ブロック４３３を具え、該第２係止ブロック４３３は、該二つのスプリング４１の該第２端部４１２を係止し、該連接部材４３を該二つのスプリング４１の該第２端部４１２に接続する。
【００１４】
該嵌合部材４４は収容部４４１と、該収容部４４１に連通する貫通孔４４２を具え、該嵌合部材４４は該収容部４４１を以て該連接部材４３、該二つの接続部材４２及び該二つのスプリング４１の外側周縁に嵌合される。
【００１５】
該支持ブロック４５は貫通孔４５１を具えている。
【００１６】
図３、４を参照されたい。組立時には、該背もたれ部２０は、少なくとも一つのナット２１が固定結合され、ボルト４３４が該連接部材４３の該貫通孔４３２、該嵌合部材４４の該貫通孔４４２及び該支持ブロック４５の該貫通孔４５１に通され、並びに該背もたれ部２０の該ネジ付きソケット３４に螺合される。該当接部材３０は該連接ユニット４０により該背もたれ部２０に固定的に接続され、該支持ブロック４５の一端が該背もたれ部２０に固定的に取付けられる。該支持ブロック４５の他端は該連接部材４３に固着される。
【００１７】
使用時には、使用者は臀部を該シート部１０に載せ、該使用者の背部は該当接部材３０にもたれかけさせられる。並びに、該支持ブロック４５の配置により、該背もたれ装置９０と該背もたれ部２０の間には、ギャップが形成され（図５に示されるとおり）、該連接ユニット４０の該二つのスプリング４１は任意に湾曲活動する特性を有するため、該使用者の背部が上下左右の全方位に活動する時、該当接部材３０と該二つのスプリング４１は一緒に同期して同じ角度に揺動、活動する。
【００１８】
また、これと同時に、該複数の通気孔３２が通気することで、使用の快適感が増す。
【００１９】
該二つのスプリング４１は並びに該嵌合部材４４の嵌合により、揺動湾曲の過程中に該使用者を挟んで傷つけることがない。
【００２０】
該当接部材３０は湾曲後にもとの状態に回復する特性を有している。
【００２１】
上述したように、本考案の進歩性は、該二つのスプリング４１の該第１端部４１１がそれぞれ該二つの接続部材４２の該少なくとも一つの第１係止ブロック４２３と係合固定され、該二つのスプリング４１の該第２端部４１２はそれぞれ該連接部材４３の該少なくとも一つの第２係止ブロック４３３に係合固定され、該二つの接続部材４２が固定的に、該当接部材３０に接続され、該連接部材４３が固定的に該背もたれ部２０に接続される。
【００２２】
使用時には、該使用者の臀部が該シート部１０に載せられ、該使用者の背部は該当接部材３０にもたれかけさせられる。該使用者の背部が活動し揺動する時、任意に湾曲し活動する該二つのスプリング４１が同期して活動して緩衝作用を発生し、最良の座り心地を得られる。該二つのスプリング４１の外側周囲に、該嵌合部材４４が嵌合され、これにより、該二つのスプリング４１が湾曲活動する時、該使用者を挟んで怪我をさせるのを防止し、安全性が極めて良好である。
【００２３】
以上述べたことは、本考案の実施例にすぎず、本考案の実施の範囲を限定するものではなく、本考案の実用新案登録請求の範囲に基づきなし得る同等の変化と修飾は、いずれも本考案の実用新案登録請求範囲のカバーする範囲内に属するものとする。
【符号の説明】
【００２４】
１０  シート部                  ２０  背もたれ部
２１  ナット                    ３０  当接部材
３１  位置決めブロック          ３２  通気孔
３３  雌ネジ部                  ３４  ネジ付きソケット
４０  連接ユニット              ４１  スプリング
４１１  第１端部                ４１２  第２端部
４２  接続部材                  ４２１  穿孔
４２２  ネジ部品                ４２３  第１係止ブロック
４３  連接部材                  ４３１  連接部
４３２  貫通孔                  ４３３  第２係止ブロック
４３４  ボルト                  ４４  嵌合部材
４４１  収容部                  ４４２  貫通孔
４５  支持ブロック              ４５１  貫通孔
９０  背もたれ装置              Ａ  座椅子
【図１】
0003180651.tif 000003
【図２】
0003180651.tif 000004
【図３】
0003180651.tif 000005
【図４】
0003180651.tif 000006
【図５】
0003180651.tif 000007